(57)【要約】【課題】  入力されたデータについての各項目間の分量バランスを、ユーザが容易に判断することを可能とすること。【解決手段】  複数の項目それぞれについて入力されたデータを記憶し、一つの表示中に、記憶された複数の項目のデータを、文章の表示に一般的に用いられる文字よりも小さな文字を用いて画像表示装置に表示させる又は印刷装置に印刷出力させる。【選択図】  図１
2009053803.tif 000002
【特許請求の範囲】
【請求項１】
複数の項目それぞれについて入力されたデータを記憶する記憶手段と、
一つの表示中に、前記記憶手段に記憶された複数の項目のデータを、文章の表示に一般的に用いられる文字よりも小さな文字を用いて画像表示装置に表示させる又は印刷装置に印刷出力させる出力手段と、
を含むデータ出力装置。
【請求項２】
前記小さな文字は、表示又は印刷された時の大きさが１ｍｍ以下の文字である、データ出力装置。
【請求項３】
前記出力手段は、表示中に含まれる各データについて、その項目名を、文章の表示に一般的に用いられる大きさの文字を用いて画像表示装置に表示させる又は印刷装置に印刷出力させる請求項１又は２に記載のデータ出力装置。
【請求項４】
画像表示装置又は印刷装置が接続された情報処理装置が、複数の項目それぞれについて入力されたデータを記憶する第一ステップと、
前記情報処理装置が、一つの表示中に、前記第一ステップにおいて記憶された複数の項目のデータを、文章の表示に一般的に用いられる文字よりも小さな文字を用いて画像表示装置に表示させる又は印刷装置に印刷出力させる第二ステップと、
を含むデータ出力方法。
【請求項５】
画像表示装置又は印刷装置が接続された情報処理装置に対し、
複数の項目それぞれについて入力されたデータを記憶する第一ステップと、
一つの表示中に、前記第一ステップにおいて記憶された複数の項目のデータを、文章の表示に一般的に用いられる文字よりも小さな文字を用いて画像表示装置に表示させる又は印刷装置に印刷出力させる第二ステップと、
を実行させるプログラム。
【発明の詳細な説明】
【技術分野】
【０００１】
本発明は、ユーザによって入力された複数の項目に関するデータについて、各項目間の入力データの分量バランスを容易に把握することを可能とする技術に関する。
【背景技術】
【０００２】
従来、複数の項目についてデータを入力することをユーザに要求する情報処理システムがある。このような情報処理システムの具体例として、ユーザが特定の思考を行うに当たりその補助を行うことを目的としたシステムがある。
【０００３】
例えば、ベイジアンネットワークのノードに条件付き確率をしめす円グラフを表示するとともに、このベイジアンネットワークの表示画面に条件付き確率表（ＣＰＴ）も併せて表示するシステムが提案されている（特許文献１参照）。このシステムは、このＣＰＴの列および行をドラッグ操作により入れ替えられるようにし、利用者の思考や判断を補助するようにする。他にも、法人の事業計画作成における思考の補助を行うためのシステムなどがある。
【特許文献１】特開２００６−２５２１８２号公報
【発明の開示】
【発明が解決しようとする課題】
【０００４】
ところで、従来は、入力されたデータを加工したグラフを表示することや、入力されたデータに基づいた回答を提示することは、提案されている。即ち、入力されたデータを加工することや、このデータに基づいて判断を行うことは、従来から注目されてきた。しかしながら、従来は、入力されたデータについて各項目間の分量バランスに着目することは提案されていなかった。このため、この分量バランスの不均衡に、ユーザが気づくことが困難であった。また、この分量バランスがそもそも着目されていなかったため、この分量バランスが適切であるか否かを判断するためのシステムは提案されてこなかった。
【０００５】
そこで、本発明は、入力されたデータについての各項目間の分量バランスを、ユーザが容易に判断することが可能となるシステムやプログラム等を提案することを目的とする。
【課題を解決するための手段】
【０００６】
本発明は、データ出力装置であって、記憶手段及び出力手段を含む。記憶手段は、複数の項目それぞれについて入力されたデータを記憶する。出力手段は、一つの表示中に、記憶手段に記憶された複数の項目のデータを、文章の表示に一般的に用いられる文字よりも小さな文字を用いて画像表示装置に表示させる。または、出力手段は、一つの表示中に、記憶手段に記憶された複数の項目のデータを、文章の表示に一般的に用いられる文字よりも小さな文字を用いて印刷装置に印刷出力させる。
【０００７】
本発明のデータ出力装置において、小さな文字は、表示又は印刷された時の大きさが１ｍｍ以下の文字であるように構成されても良い。
【０００８】
このように構成されたデータ出力装置によれば、画面表示又は印刷として、複数の項目について入力された各データが小さな文字を用いて出力される。このように出力されることにより、データの内容そのものを読むことは困難である。一方で、そのデータの分量を一目で判断することが可能となり、ユーザは、入力されたデータについての各項目間の分量バランスを容易に判断することが可能となる。
【０００９】
本発明は、上述したデータ出力装置行うデータ出力方法として特定されても良い。また、本発明は、情報処理装置を上述したデータ出力装置として動作させるためのプログラムとして特定されても良い。
【発明の効果】
【００１０】
本発明により、入力されたデータについての各項目間の分量バランスを、ユーザが容易に判断することが可能となる。
【発明を実施するための最良の形態】
【００１１】
〔概要〕
複数の項目それぞれについてデータを入力することをユーザに要求する情報処理システムがある。このような情報処理システムでは、ユーザは、キーボードなどの入力装置を操作することにより、要求された複数の各項目についてデータの入力を行う。要求される各項目に入力されるべきデータが、数文字程度の少ない文字数で構成される場合には、各項目間においてデータの分量バランスにさほどばらつきは生じない。しかしながら、例えば文章のように文字数が多いデータが要求される場合には、各項目に入力されたデータの分量バランスにばらつきが生じうる。
【００１２】
このような分量バランスのばらつきを容易に判断することを可能とすべく、本システムは、画像表示装置において以下のような画面（以下、「データ俯瞰図」という。）を表示する。即ち、入力されたデータのうち複数の項目に関するデータを、一つの表示画面において、小さなフォントを用いて表示する。このとき、一つの表示画面に表示される複数の項目に関するデータは、その項目間において分量バランスが考慮されるべき項目のデータであることが望ましい。一つの表示画面に表示されるデータの項目は、設計者やユーザによって自由に設計できる。図１は、本システム（本発明によるデータ出力装置を含むシステム）におけるデータ俯瞰図の表示例を示す図である。
【００１３】
ここで、小さなフォントとは、入力されたデータをユーザが読む場合に用いられる一般的なフォントよりも小さなフォントを示す。例えば、一般的なノートパソコンやデスクトップパソコンに採用される１１〜１９インチのディスプレイにおいて、６ポイント以下のフォントが、ここでいう小さなフォントに相当する。また、例えば、表示された際に、画面上での大きさが１ｍｍ以下の表示となるフォントが、ここでいう小さなフォントに相当しても良い。小さなフォントは、ユーザがその文字の正確な判別をすることができない程度に小さくとも良い。
【００１４】
このように読みにくい大きさの文字で表示されることにより、ユーザは、各データの中身ではなく、各データの分量そのものに注目しやすくなる。即ち、例えば白い背景に黒の文字でデータが表示される場合には、各項目のデータについて黒い部分の締める面積に注目しやすくなる。図１の表示例では、項目２，３におけるデータの文字数が多く、項目１，４におけるデータの文字数が少ないことは一目瞭然である。このため、ユーザは、各項目に対して入力されたデータの分量バランスの不均衡を容易に判断することが可能となる。つまり、本システムの表示においては、データの内容を読むことは、フォントが小さいため困難である。一方で、そのデータの分量を一目で判断することが可能となるため、上述したように、ユーザは分量バランスの不均衡を容易に判断できる。
【００１５】
図２は、各項目におけるデータの文字を標準的な大きさで表示した場合の表示例を示す図である。図２における各項目に入力されたデータは、図１の場合と同じである。しかしながら、図２の表示例の場合、文字の大きさが図１の場合と比べて大きいため、文字を読むことは可能であるものの文字数の多少については判断することができない。図１と図２とを比較すれば、図１の表示例により奏される効果がより明確となる。
【００１６】
本システムにおける表示では、各項目に入力されたデータの全てが表示されても良いし、その一部が表示されても良い。つまり、各項目について、不均衡を判断するにあたって必要となる文字数（「例えば、百文字や、数百文字や、千文字や数千文字：以下、「最大表示文字数」という。）のみが表示されても良い。図１において、項目２に入力されたデータは、最大表示文字数を超えているため、入力されたデータの全ては表示されていない。表示される各項目間において、最大表示文字数は統一されることが望ましい。このように表示されることにより、各項目間のデータの分量バランスの不均衡を判断することが容易となるためである。
【００１７】
また、本システムにおけるデータ俯瞰図の表示では、各項目について入力されたデータは、図１のように所定の枠内に表示されても良いし、枠が表示されなくとも良い。また、本システムにおけるデータ俯瞰図は、画像表示装置に表示されることなく印刷装置によって印刷されても良い。
【００１８】
〔システム構成〕
次に、上述した本システムのシステム構成について説明する。図３は、本システムのシステム構成例を示す図である。図３では、本システムをデータ出力装置１０として表す。データ出力装置１０は、バスを介して接続された記憶装置、演算装置及び通信制御装置を含み、記憶装置に記憶されたプログラムを演算装置において処理することによってプログラムに従って動作する。具体的には、携帯電話機やＰＤＡ（Personal Digital Assistance）やパーソナルコンピュータ等の情報処理装置を用いて構成することができる。
【００１９】
データ出力装置１０は、入力部１１、制御部１２、入力データ記憶部１３、及び出力部１４を含む。
【００２０】
入力部１１は、データ出力装置１０に接続された入力装置から、命令やデータの入力を受け付ける。入力部１１は、入力装置を介して入力された命令やデータを、制御部１２へ渡す。入力装置は、例えばボタン，キーボード，ジョグダイヤル，マウス，タッチパネル，タブレット，音声入力装置，リモートコントローラ等を用いて構成できる。入力装置は、データ出力装置１０に一体的に設けられてもよい。
【００２１】
制御部１２は、ＣＰＵによってデータ出力装置用のプログラムが実行されることにより実現される機能部である。制御部１２は、入力部１１から命令やデータを受け取り、その命令やデータ及びデータ出力装置用のプログラムに応じて動作する。例えば、各項目に対するデータが入力された場合には、制御部１２は対象となる項目と入力データとを対応付けて入力データ記憶部１３に書き込む。また、データ俯瞰図を表示することの命令が入力された場合には、制御部１２はデータ俯瞰図の画面を作成し、その画面のデータを出力部１４に渡す。このとき、制御部１２は、データ俯瞰図に表示すべき項目に対応する入力データを入力データ記憶部１３から読み出し、データ俯瞰図を作成する。
【００２２】
入力データ記憶部１３は、揮発性又は不揮発性の記憶装置を用いて構成される。入力データ記憶部１３は、各項目に対応付けて、入力されたデータを記憶する。
【００２３】
出力部１４は、データ出力装置１０に接続された画像出力装置に対し、文字や画像の出力や画面の遷移を指示する。例えば、出力部１４は、制御部１２からデータ俯瞰図のデータを受け取ると、このデータを表示すべく画像出力装置に指示する。画像出力装置は、出力部１４からの指示に応じて文字や画像を表示する装置である。画像出力装置は、例えばＣＲＴ（Cathode Ray Tube）ディスプレイや液晶ディスプレイや有機ＥＬ（Organic Electroluminescence）ディスプレイ等を用いて構成できる。画像出力装置は、データ出力装置１０に一体的に設けられても良い。
【００２４】
また、出力部１４は、画像出力装置ではなく印刷装置に対し文字や画像の印刷を指示するように構成されても良い。この場合、出力部１４は、制御部１２からデータ俯瞰図のデータを受け取ると、このデータを印刷すべく印刷装置に指示する。
【００２５】
〔作用／効果〕
従来は、このような各データの分量バランスに着目されることはなかった。しかしながら、この分量バランスに着目することにより、従来にはない新たな効果を期待できる。例えば、分量バランスに不均衡が生じている場合には、それぞれのデータの項目について、入力を行ったユーザの関心や意識の度合いに不均衡が生じてしまっていると推測することができる。そして、その推測に基づき、入力を行ったユーザに対して第三者がコンサルテーションを行うこともできる。また、入力を行ったユーザ自身がそのような推測を行い、自身の入力データを見直すこともできる。
【００２６】
〔適用例〕
次に、上述したシステムの適用例として、事業計画の作成を補助するシステム（以下、「事業計画作成補助システム」という。）について説明する。なお、事業計画作成補助システムは上述したデータ出力装置の具体例であるため、それぞれシステム構成は共通するものとして説明する。
【００２７】
事業計画作成補助システムでは、第一に「商品」と「市場」とが項目として表示される。商品とは、事業計画の作成を希望する者（以下、「ユーザ」という。）が、計画対象となる事業を行う際に商材として検討しているものである。市場とは、ユーザが、計画対象となる事業を行う際に市場として検討しているものである。ユーザは、この表示において、入力部１１を介して、１以上の商品と市場とをそれぞれ入力する。入力された商品と市場のデータは、入力データ記憶部１３に記憶される。
【００２８】
事業計画作成補助システムでは、次に、入力された商品を第一の軸、市場を第二の軸としてマトリックス表示する。図４は、このマトリックス表示の具体例を示す図である。ユーザは、このマトリックス表示において、入力部１１を介して、各セル（マトリックスの一つの枠）に対し、その商品をその市場において事業展開するか否かについて入力を行う。図４の例では、事業展開する場合には“○”を、しない場合には“×”が入力されている。入力されたデータは、各商品及び市場の組み合わせに対応付けて、入力データ記憶部１３に記憶される。
【００２９】
事業計画作成補助システムでは、この後、各商品及び市場の組み合わせについて、「５年後の売り上げ目標」、「ビジネスモデル」、「マーケットサイズ及び動向」、「拡大戦術」を入力するための画面が表示される。そして、ユーザは、入力を求められた各項目についてデータを入力する。特に、「ビジネスモデル」、「マーケットサイズ及び動向」、「拡大戦術」（この三つをまとめて「三項目」という。）については、文章によるデータ入力が要求される。この場合、三項目の内の一つ、商品及び市場の組み合わせを一つの項目とする。そして、各項目についてデータが入力され、入力データ記憶部１３に記憶される。最終的に、データ俯瞰図として表示される。図５は、事業計画作成補助システムにおけるデータ俯瞰図の具体例を示す図である。
【００３０】
本発明による事業計画作成補助システムでは、上述した各項目についてユーザに文章のデータ入力を要求し、入力された各項目のデータをデータ俯瞰図として表示する。この表示により、ユーザがどのような項目について充分に考察し、どのような項目について考察が不十分であるのか、その分量バランスの不均衡から一見して推測することが可能となる。例えば、図５の場合は、商品“Ａ”市場“ａ”の“ビジネスモデル”、商品“Ａ”市場“ｃ”の“ビジネスモデル”及び“マーケットサイズ及び動向”、商品“Ｂ”市場“ｃ”の“マーケットサイズ及び動向”の四つの項目については、ユーザが充分に考察していることがわかる。一方、商品“Ｂ”市場“ｄ”については、事業展開をするとしてマトリックス表示の際に“○”を付したにも拘わらず、ほとんど考察できていないことがわかる。このため、ユーザは、この“Ｂ×ｄ”について本当に事業展開するのかいなか再考察するべきと判断することが可能となる。また、各商品市場について、拡大戦術が充分に考察できていないことがわかる。このため、各商品市場について、拡大戦術をさらに考察するべきと判断することが可能となる。
【図面の簡単な説明】
【００３１】
【図１】本システムにおけるデータ俯瞰図の表示例を示す図である。
【図２】各項目におけるデータの文字を標準的な大きさで表示した場合の表示例を示す図である。
【図３】本システムのシステム構成例を示す図である。
【図４】マトリックス表示の具体例を示す図である。
【図５】事業計画作成補助システムにおけるデータ俯瞰図の具体例を示す図である。
【符号の説明】
【００３２】
１０…データ出力装置，  １１…入力部，  １２…制御部，  １３…入力データ記憶部，  １４…出力部
【図１】
2009053803.tif 000003
【図２】
2009053803.tif 000004
【図３】
2009053803.tif 000005
【図４】
2009053803.tif 000006
【図５】
2009053803.tif 000007